(57)【要約】【課題】  交流電源に認証情報信号を重畳し、認証情報付き交流電源として出力する装置を備えることにより、電子装置の盗難による情報の流出を防ぐ。【解決手段】  認証情報付加装置１１は、交流電源を入力し、交流電源に認証情報信号を重畳し、認証情報付き交流電源として出力する。電子装置１２は、主機能部１２１（たとえば、情報処理の機能を持つコンピュータ等）と、電源制御部１２２とを備える。電源制御部１２２は、認証情報付加装置１１から認証情報が重畳された認証情報付き交流電源を入力し、認証情報を抽出し、抽出した認証情報と事前に設定した認証情報とを比較することで認証を行い、認証されると、認証情報付き交流電源を主機能部１２１に出力し、認証されないと認証情報付き交流電源を主機能部１２１に出力しない。【選択図】      図１
2007004574.tif 000002
【特許請求の範囲】
【請求項１】
交流電源を入力し、交流電源に認証情報信号を重畳し、認証情報付き交流電源として出力する手段を有することを特徴とする認証情報付加装置。
【請求項２】
交流電源を入力し、交流電源に、交流電源の周波数とは異なる周波数の認証情報信号を重畳し、認証情報付き交流電源として出力する手段を有することを特徴とする認証情報付加装置。
【請求項３】
交流電源を入力し、交流電源に、交流電源より高い周波数の認証情報信号を重畳し、認証情報付き交流電源として出力する手段を有することを特徴とする認証情報付加装置。
【請求項４】
主機能部を備え、
認証情報が重畳された認証情報付き交流電源を入力し、認証情報を抽出し、抽出した認証情報と事前に設定した認証情報とを比較することで認証を行い、認証されると、認証情報付き交流電源を前記主機能部に出力し、認証されないと認証情報付き交流電源を前記主機能部に出力しない電源制御部と、前記電源制御部からの認証情報付き交流電源、または、認証情報付き交流電源から認証情報を取り除いた交流電源により動作する前記主機能部とを有することを特徴とする電子装置。
【請求項５】
主機能部を備え、
交流電源の周波数とは異なる周波数の認証情報信号が重畳された認証情報付き交流電源を入力し、第１のフィルタを用いて認証情報を抽出し、抽出した認証情報と事前に設定した認証情報とを比較することで認証を行い、認証されると、認証情報付き交流電源を前記主機能部に出力し、認証されないと認証情報付き交流電源を前記主機能部に出力しない電源制御部と、前記電源制御部からの認証情報付き交流電源、または、認証情報付き交流電源から第２のフィルタを用いて認証情報を取り除いた交流電源により動作する前記主機能部とを有することを特徴とする電子装置。
【請求項６】
交流電源を入力し、交流電源に、交流電源より高い周波数の認証情報信号を重畳し、認証情報付き交流電源として出力する手段と、前記認証情報付き交流電源を入力するコンセントとを有することを特徴とする認証情報付加装置。
【請求項７】
認証情報を格納する認証情報記憶器と、前記認証情報記憶器からデジタルの認証情報を読み出し、アナログの認証情報に変換する制御情報信号発生器と、交流電源にアナログの認証情報を重畳して認証情報付き交流電源として出力する信号複合器とを有することを特徴とする認証情報付加装置。
【請求項８】
認証情報を格納する認証情報記憶器と、前記認証情報記憶器からデジタルの認証情報を読み出し、アナログの認証情報に変換する制御情報信号発生器と、交流電源にアナログの認証情報を重畳して認証情報付き交流電源として出力する信号複合器と、前記信号複合器からの認証情報付き交流電源を入力するコンセントとを有することを特徴とする認証情報付加装置。
【請求項９】
主機能部を備え、
交流電源の周波数とは異なる周波数の認証情報信号が重畳された認証情報付き交流電源から交流電源を抽出する第１のフィルタと、前記認証情報付き交流電源からアナログの認証情報を抽出する第２のフィルタと、前記第２のフィルタからのアナログの認証情報をデジタルに変換して出力する制御信号復号器と、認証情報を格納する認証情報記憶器と、前記制御信号復号器からのデジタルの認証情報と前記認証情報記憶器からの認証情報とを比較し、比較結果にしたがい出力・抑止を示すスイッチ制御信号を出力する比較器と、前記スイッチ制御信号にしたがって前記第１のフィルタからの交流電源を前記主機能部に出力または抑止するスイッチ回路と、前記スイッチ回路からの交流電源により動作する前記主機能部とを有することを特徴とする電子装置。
【請求項１０】
（ａ）交流電源を入力し、交流電源に認証情報信号を重畳し、認証情報付き交流電源として出力する手段を有する認証情報付加装置と、
（ｂ）主機能部を備え、前記認証情報付加装置から認証情報が重畳された認証情報付き交流電源を入力し、認証情報を抽出し、抽出した認証情報と事前に設定した認証情報とを比較することで認証を行い、認証されると、認証情報付き交流電源を前記主機能部に出力し、認証されないと認証情報付き交流電源を前記主機能部に出力しない電源制御部と、前記電源制御部からの認証情報付き交流電源、または、認証情報付き交流電源から認証情報を取り除いた交流電源により動作する前記主機能部とを有する電子装置と、
を含むことを特徴とする電子システム。
【請求項１１】
（ａ）交流電源を入力し、交流電源に、交流電源の周波数とは異なる周波数の認証情報信号を重畳し、認証情報付き交流電源として出力する手段を有する認証情報付加装置と、
（ｂ）主機能部を備え、前記認証情報付加装置から交流電源の周波数とは異なる周波数の認証情報信号が重畳された認証情報付き交流電源を入力し、第１のフィルタを用いて認証情報を抽出し、抽出した認証情報と事前に設定した認証情報とを比較することで認証を行い、認証されると、認証情報付き交流電源を前記主機能部に出力し、認証されないと認証情報付き交流電源を前記主機能部に出力しない電源制御部と、前記電源制御部からの認証情報付き交流電源、または、認証情報付き交流電源から第２のフィルタを用いて認証情報を取り除いた交流電源により動作する前記主機能部とを有する電子装置と、
を含むことを特徴とする電子システム。
【請求項１２】
（ａ）交流電源を入力し、交流電源に、交流電源より高い周波数の認証情報信号を重畳し、認証情報付き交流電源として出力する手段と、前記認証情報付き交流電源を入力するコンセントとを有する認証情報付加装置と、
（ｂ）主機能部を備え、前記認証情報付加装置の前記コンセントから交流電源より高い周波数の認証情報信号が重畳された認証情報付き交流電源を入力し、第１のフィルタを用いて認証情報を抽出し、抽出した認証情報と事前に設定した認証情報とを比較することで認証を行い、認証されると、認証情報付き交流電源を前記主機能部に出力し、認証されないと認証情報付き交流電源を前記主機能部に出力しない電源制御部と、前記電源制御部からの認証情報付き交流電源、または、認証情報付き交流電源から第２のフィルタを用いて認証情報を取り除いた交流電源により動作する前記主機能部とを有する電子装置と、
を含むことを特徴とする電子システム。
【請求項１３】
交流電源を入力する手順と、交流電源に認証情報信号を重畳する手順と、認証情報付き交流電源として出力する手順とを含むことを特徴とする認証情報付加方法。
【請求項１４】
認証情報が重畳された認証情報付き交流電源を入力する手順と、認証情報を抽出する手順と、抽出した認証情報と事前に設定した認証情報とを比較することで認証を行う手順と、認証されると認証情報付き交流電源を主機能部に出力し認証されないと認証情報付き交流電源を前記主機能部に出力しない手順とを含むことを特徴とする電源制御方法。
【請求項１５】
交流電源を入力する手順と、交流電源に認証情報信号を重畳する手順と、認証情報付き交流電源として出力する手順とを認証情報付加装置に実行させることを特徴とする認証情報付加プログラム。
【請求項１６】
認証情報が重畳された認証情報付き交流電源を入力する手順と、認証情報を抽出する手順と、抽出した認証情報と事前に設定した認証情報とを比較することで認証を行う手順と、認証されると認証情報付き交流電源を主機能部に出力し認証されないと認証情報付き交流電源を前記主機能部に出力しない手順とを電源制御装置に実行させることを特徴とする電源制御プログラム。
【発明の詳細な説明】
【技術分野】
【０００１】
本発明は、認証情報付加装置、電子装置、電子システム、認証情報付加、電源制御方法、認証情報付加プログラム、および、電源制御プログラムに関し、特に、交流電源を認証に利用する認証情報付加装置、電子装置、電子システム、認証情報付加、電源制御方法、認証情報付加プログラム、および、電源制御プログラムに関する。
【背景技術】
【０００２】
交流電源を通信に利用する技術の一例が特許文献１に記載されている。この技術は、送信信号を電力線に重畳する回路と、電力線に電力線に重畳されている信号を分離して受信する機能とを有する第１の回路と、この第１の回路に一体化された第２の回路とを備えている。そして、第１の回路が、通信周波数帯に対する低域側のノイズ成分を除去するハイパスフィルタの機能をさらに有し、第２の回路が、通信周波数帯に対する高域側のノイズ成分を除去するローパスフィルタの機能を有している。
【０００３】
【特許文献１】特開２００５−７３２０８号公報
【発明の開示】
【発明が解決しようとする課題】
【０００４】
上述した特許文献１記載の技術の問題点は、電力線に電力線に重畳されている信号を分離して受信する機能を有する装置が盗難にあった場合に、盗難にあった装置が使用可能であり、情報が流出する可能性があることである。
【０００５】
その理由は、電力線に、情報を保護するための認証情報を重畳していないからである。
【０００６】
本発明の目的は、上記問題点を解決する認証情報付加装置、電子装置、電子システム、認証情報付加、電源制御方法、認証情報付加プログラム、および、電源制御プログラムを提供することにある。
【課題を解決するための手段】
【０００７】
本発明の第１の認証情報付加装置は、交流電源を入力し、交流電源に認証情報信号を重畳し、認証情報付き交流電源として出力する手段を有する。
【０００８】
本発明の第２の認証情報付加装置は、交流電源を入力し、交流電源に、交流電源の周波数とは異なる周波数の認証情報信号を重畳し、認証情報付き交流電源として出力する手段を有する。
【０００９】
本発明の第３の認証情報付加装置は、交流電源を入力し、交流電源に、交流電源より高い周波数の認証情報信号を重畳し、認証情報付き交流電源として出力する手段を有する。
【００１０】
本発明の第１の電子装置は、主機能部を備え、認証情報が重畳された認証情報付き交流電源を入力し、認証情報を抽出し、抽出した認証情報と事前に設定した認証情報とを比較することで認証を行い、認証されると、認証情報付き交流電源を前記主機能部に出力し、認証されないと認証情報付き交流電源を前記主機能部に出力しない電源制御部と、前記電源制御部からの認証情報付き交流電源、または、認証情報付き交流電源から認証情報を取り除いた交流電源により動作する前記主機能部とを有する。
【００１１】
本発明の第２の電子装置は、主機能部を備え、交流電源の周波数とは異なる周波数の認証情報信号が重畳された認証情報付き交流電源を入力し、第１のフィルタを用いて認証情報を抽出し、抽出した認証情報と事前に設定した認証情報とを比較することで認証を行い、認証されると、認証情報付き交流電源を前記主機能部に出力し、認証されないと認証情報付き交流電源を前記主機能部に出力しない電源制御部と、前記電源制御部からの認証情報付き交流電源、または、認証情報付き交流電源から第２のフィルタを用いて認証情報を取り除いた交流電源により動作する前記主機能部とを有する。
【００１２】
本発明の第４の認証情報付加装置は、交流電源を入力し、交流電源に、交流電源より高い周波数の認証情報信号を重畳し、認証情報付き交流電源として出力する手段と、前記認証情報付き交流電源を入力するコンセントとを有する。
【００１３】
本発明の第５の認証情報付加装置は、認証情報を格納する認証情報記憶器と、前記認証情報記憶器からデジタルの認証情報を読み出し、アナログの認証情報に変換する制御情報信号発生器と、交流電源にアナログの認証情報を重畳して認証情報付き交流電源として出力する信号複合器とを有する。
【００１４】
本発明の第６の認証情報付加装置は、認証情報を格納する認証情報記憶器と、前記認証情報記憶器からデジタルの認証情報を読み出し、アナログの認証情報に変換する制御情報信号発生器と、交流電源にアナログの認証情報を重畳して認証情報付き交流電源として出力する信号複合器と、前記信号複合器からの認証情報付き交流電源を入力するコンセントとを有する。
【００１５】
本発明の第３の電子装置は、主機能部を備え、交流電源の周波数とは異なる周波数の認証情報信号が重畳された認証情報付き交流電源から交流電源を抽出する第１のフィルタと、前記認証情報付き交流電源からアナログの認証情報を抽出する第２のフィルタと、前記第２のフィルタからのアナログの認証情報をデジタルに変換して出力する制御信号復号器と、認証情報を格納する認証情報記憶器と、前記制御信号復号器からのデジタルの認証情報と前記認証情報記憶器からの認証情報とを比較し、比較結果にしたがい出力・抑止を示すスイッチ制御信号を出力する比較器と、前記スイッチ制御信号にしたがって前記第１のフィルタからの交流電源を前記主機能部に出力または抑止するスイッチ回路と、前記スイッチ回路からの交流電源により動作する前記主機能部とを有する。
【００１６】
本発明の第１の電子システムは、
（ａ）交流電源を入力し、交流電源に認証情報信号を重畳し、認証情報付き交流電源として出力する手段を有する認証情報付加装置と、
（ｂ）主機能部を備え、前記認証情報付加装置から認証情報が重畳された認証情報付き交流電源を入力し、認証情報を抽出し、抽出した認証情報と事前に設定した認証情報とを比較することで認証を行い、認証されると、認証情報付き交流電源を前記主機能部に出力し、認証されないと認証情報付き交流電源を前記主機能部に出力しない電源制御部と、前記電源制御部からの認証情報付き交流電源、または、認証情報付き交流電源から認証情報を取り除いた交流電源により動作する前記主機能部とを有する電子装置と、
を含む。
【００１７】
本発明の第２の電子システムは、
（ａ）交流電源を入力し、交流電源に、交流電源の周波数とは異なる周波数の認証情報信号を重畳し、認証情報付き交流電源として出力する手段を有する認証情報付加装置と、
（ｂ）主機能部を備え、前記認証情報付加装置から交流電源の周波数とは異なる周波数の認証情報信号が重畳された認証情報付き交流電源を入力し、第１のフィルタを用いて認証情報を抽出し、抽出した認証情報と事前に設定した認証情報とを比較することで認証を行い、認証されると、認証情報付き交流電源を前記主機能部に出力し、認証されないと認証情報付き交流電源を前記主機能部に出力しない電源制御部と、前記電源制御部からの認証情報付き交流電源、または、認証情報付き交流電源から第２のフィルタを用いて認証情報を取り除いた交流電源により動作する前記主機能部とを有する電子装置と、
を含む。
【００１８】
本発明の第３の電子システムは、
（ａ）交流電源を入力し、交流電源に、交流電源より高い周波数の認証情報信号を重畳し、認証情報付き交流電源として出力する手段と、前記認証情報付き交流電源を入力するコンセントとを有する認証情報付加装置と、
（ｂ）主機能部を備え、前記認証情報付加装置の前記コンセントから交流電源より高い周波数の認証情報信号が重畳された認証情報付き交流電源を入力し、第１のフィルタを用いて認証情報を抽出し、抽出した認証情報と事前に設定した認証情報とを比較することで認証を行い、認証されると、認証情報付き交流電源を前記主機能部に出力し、認証されないと認証情報付き交流電源を前記主機能部に出力しない電源制御部と、前記電源制御部からの認証情報付き交流電源、または、認証情報付き交流電源から第２のフィルタを用いて認証情報を取り除いた交流電源により動作する前記主機能部とを有する電子装置と、
を含む。
【００１９】
本発明の認証情報付加方法は、交流電源を入力する手順と、交流電源に認証情報信号を重畳する手順と、認証情報付き交流電源として出力する手順とを含む。
【００２０】
本発明の電源制御方法は、認証情報が重畳された認証情報付き交流電源を入力する手順と、認証情報を抽出する手順と、抽出した認証情報と事前に設定した認証情報とを比較することで認証を行う手順と、認証されると認証情報付き交流電源を主機能部に出力し認証されないと認証情報付き交流電源を前記主機能部に出力しない手順とを含む。
【００２１】
本発明の認証情報付加プログラムは、交流電源を入力する手順と、交流電源に認証情報信号を重畳する手順と、認証情報付き交流電源として出力する手順とを認証情報付加装置に実行させる。
【００２２】
本発明の電源制御プログラムは、認証情報が重畳された認証情報付き交流電源を入力する手順と、認証情報を抽出する手順と、抽出した認証情報と事前に設定した認証情報とを比較することで認証を行う手順と、認証されると認証情報付き交流電源を主機能部に出力し認証されないと認証情報付き交流電源を前記主機能部に出力しない手順とを電源制御装置に実行させる。
【発明の効果】
【００２３】
本発明は、交流電源に認証情報信号を重畳し、認証情報付き交流電源として出力する装置を備えることにより、電子装置の盗難による情報の流出を防ぐことができるという効果を持つ。
【発明を実施するための最良の形態】
【００２４】
本発明は、認証情報を高周波信号に変換し交流電源に付加する機能を有する交流電源供給機能と、高周波信号の付加された交流電源を装置内で認証情報と交流電源に分離し、装置内で記憶している認証情報と供給された認証情報を比較し、合致した場合のみ交流電源を必要箇所に供給する仕組みを提供する。
【００２５】
本発明により、装置盗難に遭った場合等、認証情報が付加されない電源に接続された場合は、必要箇所に電源供給されないため、装置機能の不正使用を防止する特徴を有している、また、装置内部に情報が記録されている場合には、保存されている情報の漏洩を防止する特徴を有する。
【００２６】
次に、本発明を実施するための第１の最良の形態について図面を参照して詳細に説明する。
【００２７】
図１は、本発明を実施するための第１の最良の形態の構成を示すブロック図である。
【００２８】
図１を参照すると、本発明を実施するための第１の最良の形態の電子システム１０は、認証情報付加装置１１と、電子装置１２とを含む。
【００２９】
認証情報付加装置１１は、交流電源を入力し、交流電源に認証情報信号を重畳し、認証情報付き交流電源として出力する手段を含む。
【００３０】
電子装置１２は、主機能部１２１（たとえば、情報処理の機能を持つコンピュータ、映像を表示するテレビ等の装置である）と、認証情報付加装置１１から認証情報が重畳された認証情報付き交流電源を入力し、認証情報を抽出し、抽出した認証情報と事前に設定した認証情報とを比較することで認証を行い、認証されると、認証情報付き交流電源を主機能部１２１に出力し、認証されないと認証情報付き交流電源を主機能部１２１に出力しない電源制御部１２２とを含む。
【００３１】
主機能部１２１は、電源制御部１２２からの認証情報付き交流電源、または、認証情報付き交流電源から認証情報を取り除いた交流電源により動作する。
【００３２】
認証情報付加装置１１は、たとえば、交流電源に、交流電源の周波数とは異なる周波数の認証情報信号を重畳することが可能である。また、認証情報付加装置１１は、たとえば、交流電源に、交流電源より高い周波数の認証情報信号を重畳し、認証情報付き交流電源として出力することが可能である。
【００３３】
図２は、認証情報付加装置１１の構成を示すブロック図である。
【００３４】
図２を参照すると、認証情報付加装置１１は、認証情報を格納する認証情報記憶器１１１（たとえば、メモリ）と、認証情報記憶器１１１からデジタルの認証情報を読み出し、アナログの認証情報に変換する制御情報信号発生器１１２と、交流電源にアナログの認証情報を重畳して認証情報付き交流電源として出力する信号複合器１１３とを含むことが可能である。また、認証情報付加装置１１は、信号複合器１１３からの認証情報付き交流電源を入出力するコンセント１１４を含むことが可能である。
【００３５】
ここで、認証情報付加装置１１は、交流電源の周波数とは異なる周波数（たとえば、高い周波数）の認証情報信号を重畳することが可能である。
【００３６】
図３は、電子装置１２の電源制御部１２２の構成を示すブロック図である。
【００３７】
図３を参照すると、電源制御部１２２は、交流電源の周波数とは異なる周波数の認証情報信号が重畳された認証情報付き交流電源から交流電源を抽出する第１のフィルタ１２３と、認証情報付き交流電源からアナログの認証情報を抽出する第２のフィルタ１２４と、第２のフィルタ１２４からのアナログの認証情報をデジタルに変換して出力する制御信号復号器１２５と、認証情報を格納する認証情報記憶器１２６（たとえば、メモリ等）と、制御信号復号器１２５からのデジタルの認証情報と認証情報記憶器１２６からの認証情報とを比較し、比較結果にしたがい出力・抑止を示すスイッチ制御信号を出力する比較器１２７と、スイッチ制御信号にしたがって第１のフィルタ１２３からの交流電源を主機能部１２１に出力または抑止するスイッチ回路１２８とを含む。
【００３８】
たとえば、比較結果が、一致すれば、交流電源を出力し、不一致であれば、交流電源を抑止する。
【００３９】
認証情報付き交流電源は、認証情報付加装置１１の信号複合機１１３、または、コンセント１１４から電子装置１２の電源制御部１２２に入力される。
【００４０】
認証情報付加装置１１により、交流電源の周波数とは異なる周波数（たとえば、高い周波数）の認証情報信号を重畳された場合、第１のフィルタ１２３、第２のフィルタ１２４は、それぞれ、周波数に対応して、交流電源、認証情報を抽出する。
【００４１】
交流電源は、５０［Ｈｚ］／６０［Ｈｚ］の周波数が可能であり、制御情報信号発生器１１２が出力するアナログの認証情報は交流電源の周波数より、高い周波数の信号とすることが可能である。第１のフィルタ１２３は、ローパスフィルタであり、第２のフィルタ１２４は、ハイパスフィルタである構成が可能である。
【００４２】
認証情報付きでない交流電源を電子装置１２に入力しても、認証情報が不一致となるので、電子装置１２の主機能部１２１は、動作しない。
【００４３】
次に、本発明を実施するための第１の最良の形態の実施例について図面を参照して詳細に説明する。
【００４４】
まず、認証情報付加装置１１の実施例について説明する。
【００４５】
図４は、認証情報付加装置１１の構成を示す詳細ブロック図である。
【００４６】
図４を参照すると、認証情報付加装置１１は、図２の構成に加え、交流電源を直流電源に変換する整流器１１５を含む。また、制御情報信号発生器１１２は、認証情報制御部１１６と、Ｄ／Ａコンバータ１１７とを含む。
【００４７】
次に、認証情報付加装置１１の動作について図面を参照して説明する。
【００４８】
整流器１１５は、交流電源を整流し、直流電源を出力する。認証情報記憶器１１１、および、制御情報信号発生器１１２は、直流電源により動作する。
【００４９】
図５は、認証情報付加装置１１の動作を示すフローチャートである。
【００５０】
制御情報信号発生器１１２の認証情報制御部１１６は、直流電源を入力すると、認証情報読み出し指示を認証情報記憶器１１１に出力する（図５ステップＳ１）。認証情報記憶器１１１は、認証情報読み出し指示を入力すると、順次、認証情報開始情報、認証情報の１文字目、認証情報の２文字目、…、認証情報の最後の文字、認証情報終了情報をデジタルデータとして出力する（ステップＳ２）。認証情報記憶器１１１は、認証情報の複数文字を１度に出力することも可能である。
【００５１】
次に、認証情報制御部１１６は、順次、認証情報開始情報、認証情報の１文字目、認証情報の２文字目、…、認証情報の最後の文字、認証情報終了情報を入力し、Ｄ／Ａコンバータ１１７にデジタルの信号として出力する（ステップＳ３）。
【００５２】
次に、Ｄ／Ａコンバータ１１７は、順次、認証情報開始情報、認証情報の１文字目、認証情報の２文字目、…、認証情報の最後の文字、認証情報終了情報を入力し、アナログに変換し（ステップＳ４）、順次、認証情報開始情報、認証情報の１文字目、認証情報の２文字目、…、認証情報の最後の文字、認証情報終了情報をアナログの認証情報の信号として出力する（ステップＳ５）。
【００５３】
次に、信号複合器１１３は、交流電源に制御情報信号発生器１１２からのアナログの認証情報の信号を重畳して（ステップＳ６）、認証情報付き交流電源として出力する（ステップＳ７）。信号複合器１１３は、たとえば、カプラ回路（コイル等）で構成可能である。
【００５４】
ステップＳ１〜ステップＳ７は、入力される交流電源がオンの間、繰り返される。
【００５５】
また、コンセント１１４は、通常の家庭用のもので構成可能である。
【００５６】
次に、電子装置１２の実施例について説明する。
【００５７】
図６は、電子装置１２の電源制御部１２２の構成を示す詳細ブロック図である。
【００５８】
図６を参照すると、電源制御部１２２は、図３の構成に加え、整流器１２９を含む。また、制御信号復号器１２５は、Ａ／Ｄコンバータ１３０と、抽出制御部１３１とを含む。
【００５９】
次に、電源制御部１２２の動作について図面を参照して説明する。
【００６０】
整流器１２９は、交流電源を整流し、直流電源を出力する。制御信号復号器１２５、比較器１２７、および、認証情報記憶器１２６は、直流電源により動作する。
【００６１】
図７は、電源制御部１２２の動作を示すフローチャートである。
【００６２】
第１のフィルタ１２３（ローパスフィルタ）は、認証情報付き交流電源を入力し、認証情報を除いた交流電源を出力する（図７ステップＴ１）。第２のフィルタ１２４（ハイパスフィルタ）は、認証情報付き交流電源を入力し、認証情報（アナログ）を出力する（ステップＴ２）。
【００６３】
制御信号復号器１２５のＡ／Ｄコンバータ１３０は、第２のフィルタ１２４からの認証情報（アナログ）をデジタルに変換し（ステップＴ３）、デジタルの認証情報として出力する（ステップＴ４）。抽出制御部１３１は、Ａ／Ｄコンバータ１３０からの出力を常時入力し、デジタルの認証情報の認証情報開始情報の存在を調べる（ステップＴ５）。
【００６４】
抽出制御部１３１は、認証情報開始情報の存在を検出すると（ステップＴ５／ＹＥＳ）、認証情報開始情報、認証情報の１文字目、認証情報の２文字目、…、認証情報の最後の文字、認証情報終了情報を含むデジタルの認証情報を比較器１２７へ出力する（ステップＴ６）。
【００６５】
抽出制御部１３１は、認証情報終了情報の存在を確認しないうちは（ステップＴ７／ＮＯ）、ステップＴ６を実行する。
【００６６】
また、抽出制御部１３１は、認証情報終了情報を入力すると（ステップＴ７／ＹＥＳ））、内部の認証情報出力済み情報をオンに設定し、認証情報の出力を中止する（ステップＴ８）。認証情報出力済み情報がオンの期間、抽出制御部１３１は、認証情報を出力しない。また、認証情報出力済み情報は、直流電源の入力開始時にオフにされる。すなわち、直流電源がオンである期間、抽出制御部１３１は、認証情報を１回出力する。
【００６７】
次に、比較器１２７は、デジタルの認証情報を入力すると、認証情報開始情報を認識し、認証情報記憶器１２６に、認証情報読み出し指示を出力する（ステップＴ９）。認証情報記憶器１２６は、認証情報読み出し指示を入力すると、事前に設定された認証情報（認証情報の１文字目、認証情報の２文字目、…、認証情報の最後の文字）を比較器１２７に出力する（ステップＴ１０）。
【００６８】
次に、比較器１２７は、制御信号復号器１２５からの認証情報と、認証情報記憶器１２６からの認証情報とを比較し（ステップＴ１１）、一致すれば（ステップ１１／ＹＥＳ）、スイッチ制御信号によりスイッチ回路１２８をオンにする（ステップ１２）。また、一致しなければ（ステップ１１／ＮＯ）、比較器１２７は、スイッチ制御信号により、スイッチ回路１２８をオフのままにする（ステップ１３）。スイッチ制御信号は、初期値としては（比較器１２７に直流電源が入力開始で）、スイッチ回路１２８をオフにする。
【００６９】
スイッチ回路１２８は、スイッチ制御信号により、オンにされると、第１のフィルタ１２３からの交流電源を主機能部１２１に出力する（ステップＳ１４）。
【００７０】
主機能部１２１は、スイッチ回路１２８からの交流電源により動作する。
【００７１】
次に、本発明を実施するための第２の最良の形態について図面を参照して詳細に説明する。
【００７２】
本発明を実施するための第２の最良の形態は、認証情報付加装置１１、電子装置１２の電源制御部１２２の内部にコントロールストアを設け、図５、図７の処理をファームウェア制御で行う構成である。
【００７３】
以上により、電子装置１２は、認証情報付加装置１１からの認証情報付き交流電源を入力しないかぎり、主機能部１２１が動作しないので、電子装置１２が盗難にあっても、主機能部１２１から情報が流出することはない。
【００７４】
また、コンセント１１４を介することにより、認証情報付加装置１１の利用が容易となる。
【図面の簡単な説明】
【００７５】
【図１】本発明を実施するための第１の最良の形態の構成を示すブロック図。
【図２】認証情報付加装置の構成を示すブロック図。
【図３】電子装置の電源制御部の構成を示すブロック図。
【図４】認証情報付加装置の構成を示す詳細ブロック図。
【図５】認証情報付加装置の動作を示すフローチャート。
【図６】電子装置の電源制御部の構成を示す詳細ブロック図。
【図７】電源制御部１２２の動作を示すフローチャート。
【符号の説明】
【００７６】
１０    電子システム
１１    認証情報付加装置
１２    電子装置
１１１    認証情報記憶器
１１２    制御情報信号発生器
１１３    信号複合器
１１４    コンセント
１１５    整流器
１１６    認証情報制御部
１１７    Ｄ／Ａコンバータ
１２１    主機能部
１２２    電源制御部
１２３    第１のフィルタ
１２４    第２のフィルタ
１２５    制御信号復号器
１２６    認証情報記憶器
１２７    比較器
１２８    スイッチ回路
１２９    整流器
１３０    Ａ／Ｄコンバータ
１３１    抽出制御部
【図１】
2007004574.tif 000003
【図２】
2007004574.tif 000004
【図３】
2007004574.tif 000005
【図４】
2007004574.tif 000006
【図５】
2007004574.tif 000007
【図６】
2007004574.tif 000008
【図７】
2007004574.tif 000009